(57)【要約】【課題】  ディスク駆動装置１においてディスク２とターンテーブル４間の滑りをなくする。【解決手段】  ディスク２のチャッキングハブ１４に凸部２８を形成する一方、ターンテーブル４のハブ装着部に、前記の凸部２８と係合する係止部３５を設ける。係止部３５は板金加工により、リング状に形成した係止部材３３に設ける。係止部材３３は、ターンテーブル４の上面に設けた環状溝１７（ハブ装着部）の底部周縁に装着することがある。【選択図】          図７
2005196867.tif 000002
【特許請求の範囲】
【請求項１】
チャッキングハブを備えたディスクを着脱自在に装着するターンテーブルを有し、ディスクを回転駆動するディスク駆動装置において、前記チャッキングハブは、円周方向に凸部を有し、前記ターンテーブルは、前記凸部と係合する係止部材を有し、
この係止部材は、板金材料で形成されたことを特徴とするディスク駆動装置。
【請求項２】
前記係止部材は、バネ性を有する係止部材本体と、この本体から突出した係止部とを有することを特徴とする請求項１に記載のディスク駆動装置。
【請求項３】
前記係止部材本体は、リング状に形成されていることを特徴とする請求項１又は２に記載のディスク駆動装置。
【請求項４】
前記ターンテーブルには、前記係止部材を装着するための凹部が形成され、前記係止部材は、前記ターンテーブルに設けられた前記凹部の内周面と少なくとも２箇所で接触し、圧入状態でターンテーブルに装着されることを特徴する請求項３に記載のディスク駆動装置。
【請求項５】
前記係止部材は、プレス加工により形成したことを特徴とする請求項１〜４の何れか１項に記載のディスク駆動装置。
【発明の詳細な説明】
【技術分野】
【０００１】
この発明は、中心部にチャッキングハブを設けた円盤形の記録媒体（ディスク）を、ターンテーブルに装着して駆動回転させ、ディスクに記録されたデータの読み出し、あるいはディスクへデータの書き込みを行うディスク駆動装置に関する。
【背景技術】
【０００２】
このようなディスク駆動装置としては、例えば、PCMCIA規格タイプ２に準拠した寸法のカード型磁気記録装置がある（図１，２）。
このディスク駆動装置１は、主として携帯型情報機器（親機器）のスロットに差し込んで利用するものであるが、記録媒体としてディスク２を利用するので内部に小型のディスクモーター３を備える。この種のモータは装置１全体の厚み寸法をできるだけ小さくするために、ローターがターンテーブル４と一体になっている。符号５はターンテーブル４（ローター）を駆動回転するためのステーターコイルであり、符号６はヘッドアームである。
【０００３】
ディスクモーター３やヘッドアーム６などの機構部品は、フレーム７に取り付けられ、これらを制御する回路基板８と共に上カバー９と下カバー１０とから成るケース体１１（図２）の中に収められる。このディスク駆動装置１は、全体が所定の規格寸法内に納まったカード形にまとめられる。そして、ケース体の前端には、親機器と接続する為のコネクター１２が露出し、後端にはディスク２を出入させるための開口（扉付き）１３が形成されている。
なお、この場合のディスク２は、中央にチャッキングハブ１４（図２）を備えると共に、シャッター１５を備えた薄いディスクケース１６に収められ、ディスクケース１６と共に出し入れされる。
ディスク駆動装置１にディスクケース１６を差し込むと、シャッター１５が開く。ディスクケース１６がさらに押し込まれて所定位置に達すると、ディスクケース１６はその位置にロックされて保持されると共に、内部のディスク２が、ディスクケース１６の下面に形成された窓を介して、ターンテーブル４上にセットされる。ついで、親機器からの信号でディスク２が回転され、データの書き込みあるいは読み出しが行われる。
このような構造を備えたディスク駆動装置１は、特許文献１などに開示されており、公知である。
【０００４】
【特許文献１】特開２００１−２６８８７６号公報
【発明の開示】
【発明が解決しようとする課題】
【０００５】
ディスク２をターンテーブル４上にセットする構造は、図３のように、ディスク２の中央に配置した金属製のチャッキングハブ１４をターンテーブル４の中央上面に形成した環状溝１７にはめ込むと共に、環状溝１７の外側に固定したリング状磁石１８で吸着するものである。すなわち、ターンテーブル４の回転力は、チャッキングハブ１４とターンテーブル４との接触摩擦力で伝達される。
一方、ディスク２を取り出すときは、図示していない押出しボタンによって、ケース体１１とディスクケース１６とのロック状態を解除する。すると、ディスクケース１６を差し込むときに圧縮されたバネの付勢によって、ディスクケース１６がケース体の外に押出されてくる。ディスクケース１６がケース体１１から押出されるとき、ディスク２はチャッキングハブ１４の周縁に形成してある傾斜面１９がターンテーブル４の環状溝１７の外壁側傾斜面２０に接合して、ディスクケース１６の移動と共に斜面を乗りあがり、ターンテーブル４との係合が外れる。
【０００６】
この構造は、構造が簡単で、着脱も容易であるが、ディスク２とターンテーブル４との駆動力伝達が磁石による吸着だけなので、ターンテーブル４とディスク２との間に滑りが生じて、データ出入のタイミングに支障がきたすことがある。
リング状磁石１８の磁力を強力にしたり、チャッキングハブ１４と環状溝１７の嵌合状態を緊密にするなどの解決策が考えられるが、磁力を強化すると磁気記録媒体の性能を劣化したり、書き込み、読み出しのヘッド機能に影響する恐れがある。また、チャッキングハブ１４と環状溝１７との嵌合状態を緊密にすると、ターンテーブル４との間でディスク２を滑らかに着脱するのが困難になり、ディスクケース１６の取り出しに支障が出る恐れがある。
この発明は、ターンテーブル４によるディスク２の回転が確実に行われ、また、ディスク２の着脱も容易なディスク駆動装置１の提供を課題とする。
【課題を解決するための手段】
【０００７】
チャッキングハブに円周方向で１箇所又は数箇所に凸部を設け、これを受けるターンテーブルに、前記凸部と係合する係止部材を設ける。係止部材は、板金材料で形成する。
【発明の効果】
【０００８】
ディスクとターンテーブルは、従来の回転力伝達構造に加え、係合による動力伝達を行えるので、ディスクとターンテーブルとの間に滑りが生じない。ディスク２の着脱は従来と同様に行える。
板金材料で形成した係止部材は、安価であり、また、加工しやすい。
【発明を実施するための最良の形態】
【０００９】
ディスクを回転駆動するディスク駆動装置において、ディスクはチャッキングハブを備え、これをターンテーブルへ着脱自在に装着する構造とする。チャッキングハブに円周方向で１箇所又は数箇所に凸部を設ける。一方、これを受けるターンテーブルは、前記凸部と係合する係止部材を備える。係止部材は、板金材料で形成する。
係止部材は、バネ性を有する係止部材本体と、この本体から突出した係止部とで構成することがある。この構成に拠れば、ターンテーブルへ係止部材を装着しやすく、また、脱落することがない。
係止部材本体の形状は種々のものを想定できる。リング状は好ましい。また、係合部材の装着にチャッキングハブがはめ込まれる環状溝を利用するときは、ターンテーブルとの装着状態を安定にするため、チャッキングハブが抜け出すときに利用する環状溝の外壁側傾斜面（傾斜面２０）の底面近くを垂直な壁に形成しておくことが好ましい。さらに、係止部材を圧入状態でターンテーブルに装着できるように、リング形の外周にターンテーブルに設けた凹部の内周面と接触する張出し部を設けることがある。
【実施例１】
【００１０】
図４〜８は、実施例１であるディスク駆動装置１の一部を構成するチャッキングハブ１４とターンテーブル４を示している。
他の構成は従来のディスク駆動装置１と同様である。また、同じ名称の部品には同じ符号を用いる。
チャッキングハブ１４は、この実施例において、全体を金属製としており、本体部２１とフランジ状に広がった吸着対応部２２とからなり、全体として円盤形である。本体部２１は、中央に中央環状部２３を、その周縁にフランジ部２４を有する。フランジ部２４は、中央環状部２３の一端寄り（上方とする）に位置している。中央環状部２３は断面において下方がフランジ部２４の下面よりも突出しており、中央側から、垂直なストッパー部２５、ほぼ水平な逃げ面２６及び逃げ面２６の外端から外側へ広がる傾斜面２７となっている。これらはいずれも環状に形成されている。
そして、前記環状に連続する逃げ面２６の周方向一部に凸部２８（図６）を設ける。凸部２８は、ストッパー部２５の先端から逃げ面２６に至る壁ないしブロック状の部分であり、断面における外周は傾斜面２７と同じ傾斜となっている（図５）。この実施例において、凸部２８は１個である。傾斜面２７は、従来のハブ側傾斜面１９に相当する。
【００１１】
ターンテーブル４は、ディスクモーター３のローターと一体であり、ローター軸２９と中央隆起部３０及びその周縁のフランジ部３１を一体に形成してある。中央隆起部３０には環状溝１７が形成され、また、フランジ部３１の上面にはリング状磁石１８が固定されている。
環状溝１７は、チャッキングハブ１４の中央環状部２３が嵌り込む直径と幅を有し、その内縁と外縁は、断面において下方が内側に張出す傾斜面となっている。このうち、外壁の傾斜面３２は、従来のテーブル側傾斜面２０に相当するものである。そして、環状溝１７の底部周縁に沿って、外壁側傾斜面３２は底部近くが垂直に形成され、この部分に係止部材３３（図７）が圧入によって取り付けられている（図５ロ、図８）。
【００１２】
係止部材３３は、バネ性の強い板金材料をプレス成形して形成されており、リング状の係止部材本体３４と係止部３５とからなる。係止部３５はこの実施例において２個であり、対向して内側ヘ突出している。また、この実施例では、係止部材本体３４の外周面一部に張出し部３６を有している。張出し部３６は圧入による固定状態を良好に維持するために形成してある。
係止部材３３は、弾性を有するので、環状溝１７へのはめ込みが容易である。前記のように、環状溝１７の外壁側傾斜面３２の底部近くを垂直面に形成してあると、底部周縁に係止部材３３を安定よく装着することができる。
【００１３】
以上の構造であって、ディスク駆動装置１にディスクケース１６が差し込まれ、定位置にロックされると、ディスクケース１６内部のディスク２のチャッキングハブ１４は、ターンテーブル４のリング状磁石１８に引かれて下降し、中央環状部２３がターンテーブル４上面の環状溝１７に嵌り込む（図５）。
この状態は、チャッキングハブ１４の凸部２８が、その回転方向でターンテーブル４側の係止部３５と当接する位置である。
ターンテーブル４が駆動回転されると、基本的に、リング状磁石１８の磁力による結合でディスク２が回転される。何らかの原因によりチャッキングハブ１４とターンテーブル４との間に滑りが生じたときは、係止部３５が凸部２８と当接し、ディスク２は強制的に回転される。
【実施例２】
【００１４】
図９は、実施例２における係止部材３３を示している。他の構成は実施例１の場合と同様である。係止部材３３は、バネ性の板材を、両端に内側へ曲がった係止部３５を備えた半円形ないしＣ字形に打ち抜き成形したものである。加工が簡単で安価に提供することができ、しかも、強い反発力を得られるので、弾性変形させて前記の環状溝１７へ装着すると、確実な固定状態を得られる。
第１実施例の係止部材３３と同様に、何らかの原因によりチャッキングハブ１４とターンテーブル４との間に滑りが生じたときは、チャッキングハブ１４の係止部３５が凸部２８と当接し、ディスク２は強制的に回転される。
【図面の簡単な説明】
【００１５】
【図１】分解して示す斜視図（従来例の概要）
【図２】全体の斜視図（ディスクケースをぬきだしてある）
【図３】（イ）は、チャッキングハブとターンテーブル個所の断面図（従来例）、（ロ）はその一部拡大図。
【図４】（イ）は、チャッキングハブとターンテーブルの断面図（実施例１）、（ロ）はその一部拡大図。
【図５】（イ）は、チャッキングハブとターンテーブルの断面図（装着時）、（ロ）はその一部拡大図。
【図６】チャッキングハブと係止部材の斜視(下側からみている)
【図７】分解して示すターンテーブルの斜視図
【図８】ターンテーブルの斜視図
【図９】係止部材の斜視図（実施例２）
【符号の説明】
【００１６】
１  ディスク駆動装置
２  ディスク
３  ディスクモーター
４  ターンテーブル
５  ステーターコイル
６  ヘッドアーム
７  フレーム
８  回路基板
９  上カバー
１０  下カバー
１１  ケース体
１２  コネクター
１３  開口
１４  チャッキングハブ
１５  シャッター
１６  ディスクケース
１７  環状溝
１８  リング状磁石
１９  傾斜面（ハブ側）
２０  傾斜面（テーブル側）
２１  本体部
２２  吸着対応部
２３  中央環状部
２４  フランジ部
２５  ストッパー部
２６  逃げ面
２７  傾斜面
２８  凸部
２９  ローター軸
３０  中央隆起部
３１  フランジ部
３２  外縁の傾斜面
３３  係止部材
３４  係止部材本体
３５  係止部
３６  張出し部
【図１】
2005196867.tif 000003
【図２】
2005196867.tif 000004
【図３】
2005196867.tif 000005
【図４】
2005196867.tif 000006
【図５】
2005196867.tif 000007
【図６】
2005196867.tif 000008
【図７】
2005196867.tif 000009
【図８】
2005196867.tif 000010
【図９】
2005196867.tif 000011